(57)【特許請求の範囲】
【請求項１】
同一位置に回転軸が配置され、文字盤上で回動可能に設けられた複数の指針と、
前記複数の指針を各々独立に駆動する駆動手段と、
前記駆動手段に駆動信号を送信して前記複数の指針を回動させ、前記文字盤上に設けられた値表示部に含まれる値のうち一つを一の指針に指示させる駆動制御手段と、
を備え、
前記値表示部は、前記回転軸に対して同心円をなす位置に複数設けられて、当該値表示部の各々が、表示させる数値における所定の桁の値を表し、
前記駆動制御手段は、前記複数の指針に各々異なる前記値表示部における一の値を指示させて、当該指示された一の値を前記所定の桁の値として組み合わせることで一の数値を表現させ、
前記複数の指針の形状及び複数の前記値表示部における値の配置は、前記複数の指針が各々一の値を指示している場合に、当該複数の指針が他の値を覆い隠さないように定められ、
前記複数の値表示部における複数の値は、全て互いに異なる指針方向に設けられている
ことを特徴とするアナログ電子時計。
【請求項２】
前記複数の指針には、対応する前記値表示部における一の値と当該指針とが重なった際に、当該一の値を露出させる第１窓部が各々設けられ、
前記駆動制御手段は、前記複数の指針を回動させて各々一の値を前記第１窓部から露出させることで、当該一の値が指示されたことを示す
ことを特徴とする請求項１に記載のアナログ電子時計。
【請求項３】
前記文字盤には、前記値表示部の各々に対応付けられた前記所定の桁を示す桁表示部が設けられている
ことを特徴とする請求項１又は２に記載のアナログ電子時計。
【請求項４】
前記桁表示部には、表示させる数値の種別ごとに各々設定された単位系と桁とを示す標章が設けられ、
前記駆動制御手段は、当該設定に基づいて前記複数の指針の移動先を決定する
ことを特徴とする請求項３に記載のアナログ電子時計。
【請求項５】
前記複数の指針は、秒針、分針、及び、時針であり、表現される数値のうち最上位桁の値が前記時針によって表され、当該表現される数値のうち最下位桁の値が前記秒針によって表される
ことを特徴とする請求項１〜４のいずれか一項に記載のアナログ電子時計。
【請求項６】
前記複数の値表示部は、それぞれ異なる前記指針方向の範囲に設けられている
ことを特徴とする請求項１に記載のアナログ電子時計。
【請求項７】
計測手段を備え、
前記駆動制御手段は、当該計測手段による計測値に基づいて前記複数の指針を駆動させる
ことを特徴とする請求項１〜６の何れか一項に記載のアナログ電子時計。
【請求項８】
同一位置に回転軸が配置され、文字盤上で回動可能に設けられた複数の指針と、
前記複数の指針を回動させ、前記文字盤上に設けられた情報表示部に含まれる情報のうち一つを一の指針に指示させる駆動制御手段と、
を備え、
前記情報表示部は、前記回転軸に対して同心円をなす位置に複数設けられて、当該情報表示部の各々が、表示させる特定情報における所定の情報を表し、
前記駆動制御手段は、前記複数の指針に各々異なる前記情報表示部における一の情報を指示させて、当該指示された一の情報を前記所定の情報として組み合わせることで一の特定情報を表現させ、
前記複数の情報表示部における複数の情報は、全て互いに異なる指針方向に設けられている
ことを特徴とするアナログ電子時計。
【発明の詳細な説明】
【技術分野】
【０００１】
この発明は、時刻及び時刻以外の数値を表示する機能を有するアナログ電子時計に関する。
【背景技術】
【０００２】
従来、温度センサや気圧センサといった計測部を備え、指針を用いてアナログ的に物理量の計測値や指標を指し示す機能を有する電子時計がある。このような電子時計では、時刻表示に用いられる目盛とは別途、計測値の表示に用いられる目盛を文字盤上や腕時計のベゼルなどに設け、１又は複数の指針を独立に駆動して当該目盛を指し示させることで計測値を表示する。
【０００３】
また、このような計測機能を有する電子時計には、時針、分針、秒針のうち何れか、或いは、機能針を用いて、電子時計が何れの機能に係る表示を行っているかを示すものがある。特許文献１には、秒針において、回転軸に対して秒を指し示す部分と反対側を延長し、当該延長された部分と対応して動作内容や状態を識別するための目盛を設けることで、指針を増やさずに目盛が示す内容を読み取り易くする技術について開示されている。
【先行技術文献】
【特許文献】
【０００４】
【特許文献１】特開２００４−２２６３５０号公報
【発明の概要】
【発明が解決しようとする課題】
【０００５】
しかしながら、アナログ電子時計において、時刻表示に用いられる数値範囲と、計測値などの種々の数値を表示させる場合の数値範囲との間では、計測した物理量や表示する単位系によって大きな差が生じる場合がある。このような場合には、目盛が粗すぎたり細かすぎたりして一本の指針で精度良く値を表示させることが困難になる一方で、複数の指針で表示させると、目盛の表示が煩雑になって、どの指針が何の値を示しているのかを読み取るのが困難になるという課題がある。
【０００６】
この発明の目的は、数値の読み取りを精度良く、且つ、容易に行うことの出来るアナログ電子時計を提供することにある。
【課題を解決するための手段】
【０００７】
本発明は、上記目的を達成するため、
同一位置に回転軸が配置され、文字盤上で回動可能に設けられた複数の指針と、
前記複数の指針を各々独立に駆動する駆動手段と、
前記駆動手段に駆動信号を送信して前記複数の指針を回動させ、前記文字盤上に設けられた値表示部に含まれる値のうち一つを一の指針に指示させる駆動制御手段と、
を備え、
前記値表示部は、前記回転軸に対して同心円をなす位置に複数設けられて、当該値表示部の各々が、表示させる数値における所定の桁の値を表し、
前記駆動制御手段は、前記複数の指針に各々異なる前記値表示部における一の値を指示させて、当該指示された一の値を前記所定の桁の値として組み合わせることで一の数値を表現させ、
前記複数の指針の形状及び複数の前記値表示部における値の配置は、前記複数の指針が各々一の値を指示している場合に、当該複数の指針が他の値を覆い隠さないように定められ、
前記複数の値表示部における複数の値は、全て互いに異なる指針方向に設けられている
ことを特徴とするアナログ電子時計である。
【発明の効果】
【０００８】
本発明に従うと、アナログ電子時計において、数値の読み取りを精度良く、且つ、容易に行うことが出来るという効果がある。
【図面の簡単な説明】
【０００９】
【図１】本発明の第１実施形態のアナログ電子時計を示す正面図である。
【図２】第１実施形態のアナログ電子時計における指針の形状と文字盤上の表示の配置との関係を説明する図である。
【図３】第１実施形態のアナログ電子時計における文字盤を示す平面図である。
【図４】アナログ電子時計の内部構成を示すブロック図である。
【図５】第１実施形態のアナログ電子時計における計測値表示処理の手順を示すフローチャートである。
【図６】変形例１のアナログ電子時計における文字盤を示す平面図である。
【図７】アナログ電子時計の文字盤の変形例２及び変形例３を示す平面図である。
【図８】第２実施形態のアナログ電子時計の内部構成を示すブロック図である。
【図９】第２実施形態のアナログ電子時計における文字盤を示す平面図である。
【図１０】第２実施形態のアナログ電子時計における計測値表示処理の手順を示すフローチャートである。
【図１１】第３実施形態のアナログ電子時計における文字盤を示す平面図である。
【図１２】アナログ電子時計の文字盤の変形例４を示す平面図である。
【発明を実施するための形態】
【００１０】
以下、本発明の実施の形態のアナログ電子時計を図面に基づいて説明する。
【００１１】
［第１実施形態］
図１は、第１実施形態のアナログ電子時計１の全体の外観を示す正面図である。
第１実施形態のアナログ電子時計１は、バンド１４ａ、１４ｂによりユーザの腕に装着可能な腕時計である。このアナログ電子時計１では、ケーシング１０と、文字盤１１と、文字盤１１の上面を塞ぐ図示略の風防とに覆われた領域に、時針２、分針３、及び、秒針４（以降、まとめて指針２〜４とも記す）が設けられている。時針２、分針３、及び、秒針４の回転軸は、何れも文字盤１１の中央付近で同一位置となるように設けられている。また、風防の周縁部には、ベゼル１３が設けられ、ケーシング１０の側面部には、３個のボタンＢ１〜Ｂ３、及び、リュウズＣ１が設けられている。
【００１２】
文字盤１１には、周縁部に時刻を表示するための時刻目盛が設けられ、この時刻目盛の内側には、数値を示す際に用いられる値（数値標章）が配列された値表示部１１１が回転軸に対して３列の同心円をなす円環上の一部分に円弧状に設けられている。３列の値表示部１１１のうち、一番内側の値表示部１１１１には、千の位の値を順番に変化させた０から９０００までの１０個の値が順番に配列されている。値表示部１１１１の外側に設けられた二番目の値表示部１１１２には、百の位の値を順番に変化させた０から９００までの１０個の値が順番に配列されている。そして、一番外側の値表示部１１１３には、十の位の値を順番に変化させた０〜９０までの１０個の値が順番に配列されている。これらの値は、文字盤１１に印刷されたものであっても良いし、彫り込まれて形成された凹部や盛り上げられた凸部であっても良い。
即ち、値表示部１１１において、同心円ごとに対応する所定の桁が定められている。
【００１３】
これらの値表示部１１１１〜１１１３では、１２時の方向を基準方向として時計回りに４２度の方向（方位角）から１２度の間隔で、それぞれ１０個の数値標章が昇順で設けられている。
【００１４】
本実施形態の時針２は、先端に中空状に設けられた選択窓部２０２（第１窓部）が一番内側の値表示部１１１１における各値と重なる長さとなっている。時針２の選択窓部２０２は、三角形の枠形形状を示しており、この三角形の枠の内部には、値表示部１１１１の数値標章のうち１つが収まって上部に露出される。なお、この選択窓部２０２は、中空状に限らず、透明部材を設けたものであっても良い。
また、分針３の先端に設けられた選択窓部３０２は、選択窓部２０２と同様の形状であり、分針３は、選択窓部３０２が二列目の値表示部１１１２における各値と重なる長さとなっている。また、選択窓部３０２より分針３の根元の部分であって値表示部１１１１の値と重なる部分には、選択窓部３０２と別個に中空構造の透過窓部３０３（第２窓部）が設けられており、分針３が値表示部１１１１の値を覆い隠さない形状となっている。
【００１５】
また、秒針４の先端に設けられた選択窓部４０２は、選択窓部２０２、３０２と同様の形状であり、秒針４は、選択窓部４０２が外側の値表示部１１１３の各値と重なる長さとなっている。また、秒針４の選択窓部４０２より秒針４の根元の部分であって、値表示部１１１１、１１１２の値と重なる部分には、選択窓部４０２と別個に中空構造の透過窓部４０３が設けられており、秒針４が値表示部１１１１、１１１２の値を覆い隠さない形状となっている。
【００１６】
ここで、指針２〜４は、時計本体への取り付け時に、回転方向に微妙な取り付け誤差が生じ得る。従って、選択窓部２０２〜４０２の枠形形状一杯の大きさの数値標章が文字盤１１に設けられると、取り付け誤差によって値の一部が選択窓部２０２〜４０２の枠と重なって隠されてしまう虞がある。
【００１７】
図２は、指針の形状と数値標章の配置との関係を説明する図である。
【００１８】
例えば、時針２が「４」の値を指し示している場合に、時針２の取り付け誤差により時針２が回転方向の前後に時針２ｆ、時針２ｓの範囲でずれ得るとすると、「４」の値が時針２の選択窓部２０２、時針２ｆの選択窓部２０２ｆ、及び時針２ｓの選択窓部２０２ｓの何れにも含まれる領域２０２ｗの内部に設けられることで、「４」の値が時針２によって覆い隠されてしまうことを防ぐことができる。
【００１９】
図３は、アナログ電子時計１の指針２〜４により数値が表示されたときの文字盤１１の平面図である。
【００２０】
図３（ａ）に示すように、時針２の選択窓部２０２が値表示部１１１１における「１０００」の値を包含し、分針３の選択窓部３０２が値表示部１１１２における「４００」の値を包含し、また、秒針４の選択窓部４０２が値表示部１１１３における「８０」の値を包含している。これら３つの選択窓部２０２、３０２、４０２により選択された値を加算することで、計測値「１４８０」を読み取ることが出来る。
【００２１】
一方、図３（ｂ）に示すように、時針２、分針３、及び、秒針４がそれぞれ３時の方向を向いており、時針２の選択窓部２０２が値表示部１１１１における「４０００」の値を包含し、分針３の選択窓部３０２が値表示部１１１２における「４００」の値を包含し、秒針４の選択窓部４０２が値表示部１１１３における「４０」の値を包含している。このとき、「４００」の値及び「４０００」の値は、いずれも秒針４の透過窓部４０３に包含され、「４０００」の値は、更に、分針３の透過窓部３０３に包含される。このような中空構造によって、指針２〜４が重なった場合であっても、ユーザは、容易に表示された数値「４４４０」を読み取ることが出来る。
【００２２】
図４は、アナログ電子時計１の内部構成を示すブロック図である。
【００２３】
アナログ電子時計１は、時針２、分針３、及び、秒針４と、時針２を輪列機構３２を介して駆動する時針駆動部４０と、分針３を輪列機構３３を介して駆動する分針駆動部４１と、秒針４を輪列機構３４を介して駆動する秒針駆動部４２と、発振回路４８と、分周回路４９と、計時回路５０と、ＣＰＵ（Central Processing Unit）４５（駆動制御手段）と、ＲＯＭ（Read Only Memory）４６と、ＲＡＭ（Random Access Memory）４７と、電源部５１と、操作部５２と、計測手段としての圧力センサ５３とを備えている。
【００２４】
このアナログ電子時計１は、ＣＰＵ４５から出力される駆動制御信号に基づいて、別個の駆動部により独立に指針２〜４が駆動される３針独立駆動の電子時計である。時針駆動部４０、分針駆動部４１、及び、秒針駆動部４２（以降、複数の指針２〜４の駆動手段としての各駆動部をまとめて駆動部４０〜４２のように記す）は、それぞれ、指針２〜４を前進又は逆進させることが可能である。駆動部４０〜４２が各々指針２〜４を前進させる最高速度の設定値は、逆進させる最高速度の設定値の２倍となっている。
【００２５】
秒針４は、６度毎、一周６０ステップの各位置に離散的に移動可能である。秒針駆動部４２は、時刻表示状態では、１秒ごとに秒針４を１ステップずつ前進移動させる。時針２、及び、分針３は、１度毎、一周３６０ステップの各位置を指し示すことが可能である。分針駆動部４１は、時刻表示状態では、１０秒ごとに分針３を１ステップずつ前進移動させる。時針駆動部４０は、時刻表示状態では、２分ごとに時針２を１ステップずつ前進移動させる。
【００２６】
発振回路４８は、所定の周波数、例えば、１．６３８４ＭＨｚの周波数信号を発生して分周回路４９に出力する。分周回路４９は、発振回路４８から入力された周波数信号を設定された分周比で分周して、１秒信号を計時回路５０に出力すると共に、ＣＰＵ４５により利用される設定周波数の信号をＣＰＵ４５に出力する。
【００２７】
計時回路５０は、１秒信号をカウントして時刻を計数するカウンタである。また、計時回路５０が計数する時刻データは、ＣＰＵ４５からの修正命令に基づいて修正可能となっている。
【００２８】
ＣＰＵ４５は、アナログ電子時計１の動作全体を統括制御し、また、種々の演算処理を行う。ＣＰＵ４５は、時刻表示状態では、計時回路５０から入力された時刻データ信号に基づいて駆動部４０〜４２に駆動制御信号を出力する。また、各種物理量の計測を行う場合には、後述する圧力センサ５３から入力された計測値に基づいて、指針２〜４の移動先位置を決定し、当該移動位置へ指針２〜４を移動させるための駆動制御信号を駆動部４０〜４２に出力する。
【００２９】
ＲＯＭ４６には、ＣＰＵ４５が実行する各種制御プログラム、機能プログラムや設定データが格納されている。機能プログラムには、計測された気圧に基づいて算出された高度の値を指針２〜４により表示させたる計測値表示処理プログラムが含まれている。ＣＰＵ４５は、必要に応じてＲＯＭ４６からプログラムや設定データを読み出し、ＲＡＭ４７に展開して実行する。また、ＲＯＭ４６には、気圧と高度との間のデフォルト換算テーブルを示す高度テーブル４６ａが格納されている。
ＲＡＭ４７は、ＣＰＵ４５に作業用のメモリ空間を提供する。ＣＰＵ４５は、制御プログラムや機能プログラムの実行により取得された値、設定や算出された値を一時的に記憶する。また、ＲＡＭ４７には、高度センサ利用時の気圧状態に基づく高度テーブル４６ａの補正データや、高度表示の際の単位設定（メートル、フィートなど）といったユーザ操作に基づいて定められたユーザ設定テーブル４７ａ記憶されている。
【００３０】
電源部５１は、ＣＰＵ４５の駆動に必要な電力を供給する。この電源部５１は、特に限られないが、例えば、太陽電池と二次電池とを組み合わせたものである。
【００３１】
圧力センサ５３は、例えば、ピエゾ素子を用いて大気圧を測定する半導体センサである。
【００３２】
操作部５２は、ボタンＢ１〜Ｂ３、及び、リュウズＣ１の操作に基づく電気信号を入力信号としてＣＰＵ４５へ送る。例えば、ボタンＢ２が押下されると、ＣＰＵ４５は、時刻表示状態から高度表示状態に変更して、圧力センサ５３に測定させた気圧データに基づいて指針２〜４に高度を表示させる。また、ボタンＢ３が押下されると、ＣＰＵ４５は、時刻表示状態から順番に各モードに変更させていく。リュウズＣ１が操作されると、ＣＰＵ４５は、手動で時刻を変更したり、高度テーブルの補正を行ったりする。
【００３３】
次に、本実施形態のアナログ電子時計１において高度表示動作を行う動作手順について説明する。
図５は、ＣＰＵ４５による高度表示動作の制御手順を示すフローチャートである。
【００３４】
高度表示処理は、ユーザによりボタンＢ２が押下されるか、ボタンＢ３が押下されて、高度計測動作が選択された場合に開始される。
高度表示処理が開始されると、ＣＰＵ４５は、先ず、圧力センサ５３に指令を送り、気圧の計測を行わせる（ステップＳ１１）。また、ＣＰＵ４５は、秒針駆動部４２に指令を送り、秒針４を０時の方向に移動させる。また、ＣＰＵ４５は、分針駆動部４１、及び、時針駆動部４０への駆動命令を中止し、分針３及び時針２を一時停止させる（ステップＳ１２）。
【００３５】
圧力センサ５３から気圧の計測値がＣＰＵ４５に入力されると、ＣＰＵ４５は、高度テーブル４６ａ及びユーザ設定テーブル４７ａを読み出して、気圧の値を高度の値に変換する。ＣＰＵ４５は、変換された高度の値に基づいて、指針２〜４の移動先位置をそれぞれ決定する（ステップＳ１３）。
【００３６】
それから、ＣＰＵ４５は、時針駆動部４０に指令を送り、時針２を移動先位置へ移動させる（ステップＳ１４）。続いて、ＣＰＵ４５は、分針駆動部４１に指令を送り、分針３を移動先位置へ移動させる（ステップＳ１５）。最後に、ＣＰＵ４５は、秒針駆動部４２に指令を送り、秒針４を移動先位置へ移動させる（ステップＳ１６）。そして、ＣＰＵ４５は、高度表示処理を終了する。なお、このアナログ電子時計１では、圧力センサ５３から入力された気圧の計測値により、高度表示だけでなく、気圧表示も同様に可能である。気圧表示処理は、例えば、ユーザによりボタンＢ１が押下されるか、ボタンＢ３が押下されて、気圧計測動作が選択された場合に開始される。指針２〜４がそれぞれ値表示部１１１１〜１１１３に含まれる値を選択して指示することで、同様に、気圧値を表す。
【００３７】
このように、第１実施形態のアナログ電子時計１によれば、文字盤１１における同心円状に３列に亘り算出された高度値の表示に用いられる値表示部１１１１〜１１１３が設けられ、指針２〜４がそれぞれ値表示部１１１１〜１１１３に含まれる値を選択して指示することで、それぞれ、千の位、百の位、十の位の値を表す。従って、ユーザは、各桁の値を読み取って加算することで、容易に数値を読み取ることが出来る。
【００３８】
特に、計測値の上位桁を時針２により示し、中位桁を分針３により示し、下位桁を秒針４により示すことで、ユーザが直感的に数値を認識しやすく構成されている。
【００３９】
また、指針２〜４には中空状の選択窓部２０２〜４０２が設けられて、指針２〜４は、指し示す値を選択窓部２０２〜４０２の内部に包含するように位置するので、選択窓部２０２〜４０２により露出された値を容易に認識することが出来る。
【００４０】
また、値表示部１１１１と交差する分針３や、値表示部１１１１、１１１２と交差する秒針４には、当該交差部分に透過窓部３０３、４０３がそれぞれ設けられているので、時針２と分針３又は秒針４とが重なった場合や、分針３と秒針４とが重なった場合でも、選択窓部２０２〜４０２に包含された値が他の指針によって覆い隠されることなく全て確実に認識することが出来る。
【００４１】
また、長方形の透過窓部３０３、４０３に対して、選択窓部２０２〜４０２の形状が三角形に設定されているので、透過窓部に包含された値と選択された値とを容易に識別できると共に、三角形の頂点により時刻表示の際にも時刻を容易に認識することが出来る。
【００４２】
また、圧力センサ５３などの計測器による計測値をデジタル値化して指針２〜４により離散的に各桁の値に分けて表示するので、アナログ表示を見るときの目盛の粗密などを気にすることなく明確且つ容易に計測値を読み取ることが出来る。
【００４３】
［変形例１］
図６は、第１実施形態の文字盤１１における値表示部の変形例１を示す平面図である。
【００４４】
変形例１の値表示部１１１ａでは、値表示部１１１１における百の位以下の「０」の表示、値表示部１１１２における十の位以下の「０」の表示、及び、値表示部１１１３における一の位の「０」の表示を全て省略し、各列の値を何れも「０」〜「９」の一桁値としている。その他の構成は第１実施形態の文字盤１１と同一であり、同一の符号を付して説明を省略する。
【００４５】
このように、変形例１における値表示部１１１ａでは、各数値標章が表す値における下位桁の「０」の表示を省略して一の数字ずつを表示させることにより一文字当たりの表示サイズを大きくすることで、指し示された値を容易に読み取り可能としている。特に、各指針２〜４の示す桁が明確な場合には、文字盤１１の構成がより簡潔になる。
【００４６】
［変形例２］
図７（ａ）は、第１実施形態の文字盤１１における値表示部の変形例２を示す平面図である。
【００４７】
変形例２の文字盤１１には、変形例１の値表示部１１１ａの一端に、各値表示部１１１１〜１１１３が表す桁を明示するための標章が配列された桁表示部１１２が設けられており、それ以外の構成については第１実施形態の文字盤１１と同一であるので、同一の符号を付して説明を省略する。
【００４８】
この桁表示部１１２では、値表示部１１１１における「０」の値に隣接して標章「×１０００」が設けられ、値表示部１１１１の値「０」〜「９」がそれぞれ千の位の値を示していることを表している。また、値表示部１１１２における「０」の値に隣接して標章「×１００」が設けられ、値表示部１１１２の値「０」〜「９」がそれぞれ百の位の値を示していることを表している。また、値表示部１１１３における「０」の値に隣接して標章「×１０」が設けられ、値表示部１１１３の値「０」〜「９」がそれぞれ十の位の値を示していることが表されている。
【００４９】
このように、変形例２における文字盤１１では、値表示部１１１１〜１１１３から値が１つずつ選択された場合に、選択された値が何れの桁の値であるかが桁表示部１１２によって明示的にまとめて示されることにより、値表示部１１１１〜１１１３において「０」の表示を繰り返すことなくより簡便且つ明確に指針によって計測値を表示することが出来る。
【００５０】
［変形例３］
図７（ｂ）には、第１実施形態の文字盤１１における値表示部の変形例３を示す平面図である。
【００５１】
変形例３の文字盤１１における値表示部１１１ｂ及び桁表示部１１２ｂは、変形例２の値表示部１１１ａ及び桁表示部１１２とは反対に、６時〜１２時の側に設けられている。また、文字盤１１の周縁部の側に設けられた値表示部１１１１ａが千の位の値を示し、文字盤１１の中心側に設けられた値表示部１１１３ａが十の位の値を示し、値表示部１１１１ａと値表示部１１１３ａとの間に設けられた値表示部１１１２ａが百の位の値を示すことが桁表示部１１２ｂにより表されている。その他の構成は、変形例２の構成と同様であり、同一の符号を付して説明を省略する。
【００５２】
変形例３の文字盤１１では、上記のように、上位桁の値が指針２〜４の回転軸からより離れた位置となる。従って、千の位の値が秒針４によって指し示され、百の位の値が分針３によって指し示され、また、十の位の値が時針２によって指し示される。
【００５３】
このように、アナログ電子時計１の文字盤１１に変形例３の値表示部１１１ｂ及び桁表示部１１２ｂを配置することで、他の機能に係る表示上の制約条件などにあわせて値表示部１１１ｂを配置させることができる。また、値表示部１１１ｂの配置場所によって各桁の値の表示順番を入れ替えることで、計測値を左側の上位桁から順番に容易に読み取ることが出来る。
【００５４】
［第２実施形態］
次に、第２実施形態のアナログ電子時計について説明する。
図８は、第２実施形態のアナログ電子時計の内部構成を示すブロック図である。
【００５５】
第２実施形態のアナログ電子時計１は、第１実施形態のアナログ電子時計の構成に加えて、更に、他の計測手段として温度センサ５４を備えている。また、後述するように、第１実施形態のアナログ電子時計において指針２〜４の先端に設けられた選択窓部２０２〜４０２、及び、指針３、４に設けられた透過窓部３０３、４０３は、指針ごとにまとめられて、選択透過部２０４〜４０４（窓部）が設けられている（図９参照）。その他の構成については、第１実施形態のアナログ電子時計と同一であり、同一の符号を付して説明を省略する。
【００５６】
図９は、第２実施形態のアナログ電子時計における文字盤の値表示部と指針とを示す平面図である。
【００５７】
図９（ａ）に示すように、第２実施形態のアナログ電子時計１の文字盤１１ａには、上述の変形例２において値表示部１１１ａの一端に設けられた桁表示が測定単位と共に３通り設けられている。即ち、桁表示部１１２ｉでは、温度の単位である摂氏温度「℃」とともに、温度表示の場合には、値表示部１１１ａを構成する３列の値表示部１１１１〜１１１３のうち、値表示部１１１１が十の位の値を表し、値表示部１１１２が一の位の値を表し、値表示部１１１３が小数第一位の値を表すことが示されている。一方、桁表示部１１２ｊ、１１２ｋでは、それぞれ、気圧の単位「ｈＰａ」、高度の単位「ｍ」とともに、値表示部１１１１が千の位の値を表し、値表示部１１１２が百の位の値を表し、値表示部１１１３が十の位の値を表すことが示されている。従って、温度表示の場合には、図９（ａ）に示した指針位置により、計測値が１４．８℃であることが表されている。
【００５８】
また、選択透過部２０４〜４０４は、第１実施形態の指針２〜４における選択窓部２０２〜４０２に対応する部分が五角形の形状となっている。この選択される値を示す部分の形状は、五角形に限られるものではなく、他の閉曲線から構成される図形や、「コ」の字型や「Ｃ」型などの一部が開いた図形であってもよい。ここで、当該図形を指針２〜４の軸の延長線上に頂点が設けられた形状とすることで、三角形の場合と同様時刻表示の際の読み取り容易性が向上する。
【００５９】
図１０は、第２実施形態のアナログ電子時計１における計測値表示処理の動作手順を示すフローチャートである。
【００６０】
この第２実施形態のアナログ電子時計１において、ＣＰＵ４５が実行する計測値表示処理の動作手順は、第１実施形態のアナログ電子時計においてＣＰＵ４５が実行した高度表示処理にステップＳ１０の処理が追加され、ステップＳ１１、Ｓ１２の処理がステップＳ１１ａ、Ｓ１２ａの処理にそれぞれ変更されたものである。その他の同一の処理は、同一の符号を付して説明を省略する。
【００６１】
この計測値表示処理は、温度、気圧、又は、高度の何れかの値の計測命令が入力されることで開始される。計測値表示処理が開始されると、ＣＰＵ４５は、先ず、何れの値の計測を行うかを判別する（ステップＳ１０）。ＣＰＵ４５は、判別結果に基づいて圧力センサ５３又は温度センサ５４に計測を行わせる指令を送る（ステップＳ１１ａ）とともに、指針２〜４を所定の初期位置に移動させる（ステップＳ１２ａ）。ＣＰＵ４５は、温度計測値の表示を行う場合には、駆動部４０〜４２に指令を送り、指針２〜４を駆動させて、図９（ｂ）に示すように、桁表示部１１２ｉの位置に移動させる。また、ＣＰＵ４５は、気圧計測値の表示を行う場合には、駆動部４０〜４２に指令を送り、指針２〜４を駆動させて、桁表示部１１２ｊの位置に移動させる。また、ＣＰＵ４５は、高度値の表示を行う場合には、駆動部４０〜４２に指令を送り、指針２〜４を駆動させて桁表示部１１２ｋの位置に移動させる。
【００６２】
このように、第２実施形態のアナログ電子時計１によれば、桁表示部１１２ｉ〜１１２ｋを設けることで、同一の値表示部を用いて計測値範囲の異なる複数のセンサについての計測値を容易に読み取り可能に表示することが出来る。また、センサによる計測中に桁表示部１１２ｉ〜１１２ｋの何れかを指針２〜４で指し示させることで、何れの値を計測、算出しているのかを確認することが出来るので、ユーザの操作ミスなどによる混乱や読み取りミスを防ぐことが出来る。
【００６３】
また、選択窓部と透過窓部とを選択透過部２０４、３０４、４０４としてまとめる一方で、選択された値を示す部分と、その他の透過させる値を示す部分とでは枠の形状が異なるので、必要に応じて複数の値の透過性を維持しながら、選択された値を容易に識別することが出来る。
【００６４】
［第３実施形態］
次に、第３実施形態のアナログ電子時計について説明する。
図１１は、第３実施形態のアナログ電子時計１の平面図である。
【００６５】
この第３実施形態のアナログ電子時計１は、文字盤１１ｂに設けられた値表示部１１１ｃにおける値の配置及び指針２〜４の形状を除いて第２実施形態のアナログ電子時計と構成要素が同一であるので、同一の符号を付して説明を省略する。また、第３実施形態のアナログ電子時計１における計測値表示動作の処理手順は、第２実施形態のアナログ電子時計１における計測値表示動作の処理手順と同一であるので、説明を省略する。
【００６６】
図１１に示すように、本実施形態の文字盤１１ｂに設けられた値表示部１１１ｃは、３列の値表示部１１１４〜１１１６により構成される。値表示部１１１４〜１１１６に含まれる各値を示す数値標章は、全て異なる方位角に配置されている。図１１の例では、値表示部１１１４における「０」から「９」までの各値を示す数値標章は、１２時の方向を基準として、時計回りに３０度の位置から１８度間隔（即ち、秒針４の３ステップ分）で設けられている。また、値表示部１１１５、１１１６における「０」から「９」までの各値を示す数値標章は、それぞれ３６度、４２度の位置から１８度間隔で設けられている。従って、値表示部１１１４〜１１１６の各値は、順番に６度間隔で配置され、数値が表示される際に、指針２〜４の位置が重なることはない。
【００６７】
本実施形態の分針３及び秒針４には、透過窓部又は選択透過部が設けられていない一方で、値表示部１１１４〜１１１６において指針２〜４が指し示す値に隣接する値を覆い隠さないために、指針の幅が狭く形成されている。図１１（ａ）の例では、温度計測値の表示の場合には、指針２〜４の選択窓部２０２〜４０２により包含された３個の値が示す値に基づき温度が１４．８℃であることが読み取り可能となっている。
【００６８】
文字盤１１ｂには、第２実施形態における桁表示部１１２ｉ〜１１２ｋと同様の標章が、例えば、１２時の方向から時計回りに１２度（２秒）、１８度（３秒）、２４度（４秒）の方向にそれぞれ設けられている。このとき、図１１（ｂ）に示すように、計測値の単位を示す標章「℃」、「ｈＰａ」、「ｍ」をそれぞれ指針２〜４の届かない位置に配置しても良いし、センサの計測時に時針２のみを桁表示部１１２ｉ〜１１２ｋの何れかの位置に移動させ、分針３及び秒針４を他の位置、例えば、０時方向に移動させることとしてもよい。
【００６９】
このように、第３実施形態のアナログ電子時計１によれば、指針２〜４について各々文字盤１１ｂ上に設けられた値表示部１１１４〜１１１６の各値が方位角方向に全て異なる位置に配置されているので、秒針４や分針３が値表示部１１１４、１１１５の値を覆い隠して計測値を読み難くすることがない。また、指針３、４に中空構造を設けるために指針を太くする必要がないので、指針のデザインが容易且つ多様になる。
【００７０】
［変形例４］
図１２には、第３実施形態のアナログ電子時計１における文字盤１１ｂに設けられた値表示部の変形例を示す。
【００７１】
この変形例４の値表示部１１１ｄは、３列の値表示部１１１４ａ〜１１１６ｄによって構成されている。これらの値表示部１１１４ａ〜１１１６ａでは、各値表示部に含まれる１０個の値がそれぞれ一纏まりに配置されている。図１２（ａ）、（ｂ）の例では、値表示部１１１６ａにおける「０」から「９」までの各値は、１２時の方向を基準として、時計回りに３０度の位置から６度間隔（秒針４の１ステップ毎）で設けられている。また、値表示部１１１４ａ、１１１５ａにおける「０」から「９」までの各値は、それぞれ９０度、１５０度の位置から６度間隔で設けられている。
【００７２】
また、図１２（ａ）の例では、指針２〜４に設けられた選択窓部２０２〜４０２の形状が方形であるとともに、指針２〜４の先端部には、更に、針状の構造が延長され、時刻表示の際の読み取りを容易にしている。
【００７３】
更に、図１２（ｂ）に示すように、第３実施形態のアナログ電子時計１では、指針２〜４がそれぞれ示す値が明白であることから、各指針２〜４に選択窓部を設けずに単に指針で指し示させることとしても良い。
【００７４】
このように、第３実施形態のアナログ電子時計１によれば、文字盤１１ｂに設けられた値表示部１１１４〜１１１６、１１１４ａ〜１１１６ａにおける各値が各々異なる方位に設けられているので、指針２〜４が重なる場合を考慮する必要がなく、従来の針状の指針、或いは、選択窓部２０２〜４０２のみを設けた指針により、容易且つ明確に数値を表示させることが出来る。
【００７５】
また、変形例４の文字盤１１ｂを備えたアナログ電子時計１によれば、値表示部１１１４ａ〜１１１６ａがそれぞれ異なる方位角の範囲に設けられているので、それぞれの指針により指示されている値がどの桁の値であるか容易に認識することが出来る。
【００７６】
なお、本発明は、上記実施の形態に限られるものではなく、様々な変更が可能である。
例えば、上記実施の形態では、３本の指針により有効数字３桁の値を表示させることとしたが、２本の指針により有効数字２桁の数字を表示させ、残りの１本で桁表示部１１２ｉ〜１１２ｋの何れかを示すこととしても良い。
或いは、気圧の表示の際に、３本の指針により一の位から百の位の値を示すこととして、百の位の値によって千の位の値を自動的に決定させることとしてもよい。例えば、百の位の値が「１」以上であれば、千の位の値が「０」であり、百の位が「０」であれば、千の位の値が「１」とすることで、３本の指針により１００〜１０９９ｈＰａの範囲内の気圧を表示させることが出来る。
【００７７】
また、反対に、機能針を更に備え、有効数字４桁の値を表示させたり、機能針によって計測値の種別や測定値の単位を表示させたりしても良い。
【００７８】
また、上記実施形態では、指針２〜４のみを用いて全てのデータを表示させることとしたが、例えば、液晶表示部といったデジタル表示部を備え、指針２〜４による計測値の表示中に、デジタル表示部に現在時刻や計測値の種別を表示させることとしても良い。
【００７９】
また、上記実施形態では、アナログ電子時計として腕時計を例に挙げて説明したが、置時計、壁掛け時計や懐中時計であっても良い。
その他、上記実施の形態で示した具体的な構成や数値、配置などは、本発明の趣旨を逸脱しない範囲において適宜修正可能である。
【００８０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８１】
［付記］
＜請求項１＞
同一位置に回転軸が配置され、文字盤上で回動可能に設けられた複数の指針と、
前記複数の指針を各々独立に駆動する駆動手段と、
前記駆動手段に駆動信号を送信して前記複数の指針を回動させ、前記文字盤上に設けられた値表示部に含まれる値のうち一つを一の指針に指示させる駆動制御手段と、
を備え、
前記値表示部は、前記回転軸に対して同心円をなす位置に複数設けられて、当該値表示部の各々が、表示させる数値における所定の桁の値を表し、
前記駆動制御手段は、前記複数の指針に各々異なる前記値表示部における一の値を指示させて、当該指示された一の値を前記所定の桁の値として組み合わせることで一の数値を表現させ、
前記複数の指針の形状及び複数の前記値表示部における値の配置は、前記複数の指針が各々一の値を指示している場合に、当該複数の指針が他の値を覆い隠さないように定められる
ことを特徴とするアナログ電子時計。
＜請求項２＞
前記複数の指針には、対応する前記値表示部における一の値と当該指針とが重なった際に、当該一の値を露出させる第１窓部が各々設けられ、
前記駆動制御手段は、前記複数の指針を回動させて各々一の値を前記第１窓部から露出させることで、当該一の値が指示されたことを示す
ことを特徴とする請求項１に記載のアナログ電子時計。
＜請求項３＞
前記値表示部における値のうち少なくとも一部は、他の前記値表示部における値と同一の指針方向に設けられ、
最も内側の前記同心円に係る前記値表示部に対応する指針を除く指針には、当該指針に対応する前記値表示部より内側の前記同心円に係る前記値表示部において、当該指針が指示する値と同一の指針方向に設けられた他の値と当該指針とが重なった際に、当該他の値を露出させる第２窓部が更に設けられている
ことを特徴とする請求項２に記載のアナログ電子時計。
＜請求項４＞
前記複数の指針には、当該指針が指示する一の値と、当該一の値を含む前記値表示部より内側の前記同心円に係る前記値表示部において前記一の値と同一の指針方向に設けられた他の値とが、当該指針と重なった際に、前記一の値と前記他の値とを露出させる窓部が設けられ、
当該窓部は、前記指針が指示する値を露出させる部分と、他の値を露出させる部分とが異なる形状で形成されている
ことを特徴とする請求項１記載のアナログ電子時計。
＜請求項５＞
前記文字盤には、前記値表示部の各々に対応付けられた前記所定の桁を示す桁表示部が設けられている
ことを特徴とする請求項１〜４の何れか一項に記載のアナログ電子時計。
＜請求項６＞
前記桁表示部には、表示させる数値の種別ごとに各々設定された単位系と桁とを示す標章が設けられ、
前記駆動制御手段は、当該設定に基づいて前記複数の指針の移動先を決定する
ことを特徴とする請求項５に記載のアナログ電子時計。
＜請求項７＞
前記複数の指針は、秒針、分針、及び、時針であり、表現される数値のうち最上位桁の値が前記時針によって表され、当該表現される数値のうち最下位桁の値が前記秒針によって表される
ことを特徴とする請求項１〜６のいずれか一項に記載のアナログ電子時計。
＜請求項８＞
前記複数の値表示部における複数の値は、全て互いに異なる前記指針方向に設けられている
ことを特徴とする請求項１又は２に記載のアナログ電子時計。
＜請求項９＞
前記複数の値表示部は、それぞれ異なる前記指針方向の範囲に設けられている
ことを特徴とする請求項８に記載のアナログ電子時計。
＜請求項１０＞
計測手段を備え、
前記駆動制御手段は、当該計測手段による計測値に基づいて前記複数の指針を駆動させる
ことを特徴とする請求項１〜９の何れか一項に記載のアナログ電子時計。
【符号の説明】
【００８２】
１     アナログ電子時計
２、２ｆ、２ｓ       時針
２０２、３０２、４０２      選択窓部
２０２ｗ      領域
３     分針
３０３、４０３       透過窓部
２０４、３０４、４０４      選択透過部
４     秒針
１０   ケーシング
１１、１１ａ、１１ｂ 文字盤
１１１、１１１ａ〜１１１ｄ、１１１１〜１１１６、１１１１ａ〜１１１６ａ       値表示部
１１２、１１２ｂ、１１２ｉ〜１１２ｋ      桁表示部
１３   ベゼル
１４ａ、１４ｂ       バンド
３２〜３４    輪列機構
４０   時針駆動部
４１   分針駆動部
４２   秒針駆動部
４５   ＣＰＵ
４６   ＲＯＭ
４６ａ 高度テーブル
４７   ＲＡＭ
４７ａ ユーザ設定テーブル
４８   発振回路
４９   分周回路
５０   計時回路
５１   電源部
５２   操作部
５３   圧力センサ
５４   温度センサ
Ｂ１〜Ｂ３    ボタン
Ｃ１   リュウズ
【図１】
0005780042.tif 000002
【図２】
0005780042.tif 000003
【図３】
0005780042.tif 000004
【図４】
0005780042.tif 000005
【図５】
0005780042.tif 000006
【図６】
0005780042.tif 000007
【図７】
0005780042.tif 000008
【図８】
0005780042.tif 000009
【図９】
0005780042.tif 000010
【図１０】
0005780042.tif 000011
【図１１】
0005780042.tif 000012
【図１２】
0005780042.tif 000013